(57)【要約】【課題】絞り、露出時間及びＩＳＯ感度の露出制御値を自在に操り、自動露出の設定を迅速に行うことができるデジタルカメラを得る。【解決手段】露出時間、絞り値及びＩＳＯ感度をそれぞれ、手動設定及び自動設定のいずれかで動作させる制御手段を備えたデジタルカメラであって、上記絞りの設定を手動設定と自動設定との間で切り換える絞り切換えスイッチと、露出時間の設定を動設定と自動設定との間で切り換える露出時間切換えスイッチと、ＩＳＯ感度の設定を動設定と自動設定との間で切り換えるＩＳＯ感度切換えスイッチとが独立して設けられている。【選択図】図２
2010093476.tif 000002
【特許請求の範囲】
【請求項１】
露出時間、絞り値及びＩＳＯ感度をそれぞれ、手動設定及び自動設定のいずれかで動作させる制御手段を備えたデジタルカメラであって、
前記露出時間、絞り値及びＩＳＯ感度を独立して手動設定と自動設定のいずれかに切り換える切換手段を備えたことを特徴とするデジタルカメラ。
【請求項２】
請求項１記載のデジタルカメラにおいて、上記切換え手段として、上記絞りの設定を手動設定と自動設定との間で切り換える絞り切換えスイッチと、露出時間の設定を動設定と自動設定との間で切り換える露出時間切換えスイッチと、ＩＳＯ感度の設定を動設定と自動設定との間で切り換えるＩＳＯ感度切換えスイッチとが独立して設けられていること、を特徴とするデジタルカメラ。
【請求項３】
請求項２記載のデジタルカメラはさらに、上記切換えスイッチに優先する優先モード設定スイッチを備えていて、上記制御手段は、上記切換えスイッチによって切換えられた手動／自動設定に優先して上記優先モード設定スイッチの設定を適用するデジタルカメラ。
【請求項４】
請求項３記載のデジタルカメラにおいて、上記優先モードとしてストロボ同調モードが備えられていて、上記制御手段は、上記優先モード設定スイッチにより上記ストロボ同調モードが設定されているときは、露出時間をストロボ同調速度に固定またはストロボ同調速度以下に設定するデジタルカメラ。
【請求項５】
請求項３記載のデジタルカメラにおいて、上記優先モードとしてバルブモードが備えられていて、上記制御手段は、上記優先モード設定スイッチにより上記バルブモードが設定されているときは、シャッターをバルブとし、絞り値及びＩＳＯ感度を手動設定とするデジタルカメラ。
【請求項６】
請求項２乃至５のいずれか一項記載のデジタルカメラにおいて、上記絞り切換えスイッチ、露出時間切換えスイッチ及びＩＳＯ感度切換えスイッチはそれぞれ独立した押しボタンスイッチであって、照明手段または表示手段によって手動設定／自動設定を表示するデジタルカメラ。
【請求項７】
請求項６記載のデジタルカメラにおいて、上記優先モードスイッチによりバルブモードが設定されているときは、上記照明手段を消灯するデジタルカメラ。
【請求項８】
請求項２乃至５のいずれか一項記載のデジタルカメラにおいて、上記絞り切換えスイッチ、露出時間切換えスイッチ及びＩＳＯ感度切換えスイッチはそれぞれ独立したスライドスイッチであるデジタルカメラ。
【発明の詳細な説明】
【技術分野】
【０００１】
本発明は、デジタルカメラにかかり、より具体的には、複数の撮影要素を独立して手動または自動設定に切り換えるスイッチを備えたデジタルカメラに関する。
【背景技術】
【０００２】
デジタルカメラの露出制御要素は、露出時間（シャッター速度／露出時間ＴＶ）、レンズ開口径（絞り値ＡＶ）及び受光素子感度（ＩＳＯ感度）の３種類がある。そうしてこれらを制御する方法として、プログラム露出Ｐ、絞り優先露出ＡＶ、シャッター優先露出ＴＶ、感度優先露出ＳＶ、シャッター及び絞り優先露出ＴＡＶ、マニュアル露出Ｍ、バルブ露出Ｂ、ストロボ同調速度Ｘ、セルフタイマー露出Ｔなどの露出モードがあった。フィルムカメラの場合、フィルムの感度（ＩＳＯ感度）はフィルムごとに固定されているので、撮影途中にＩＳＯ感度を変更することはできなかった。なお、撮影途中にカメラのＩＳＯ感度を変更することはできるが、変更したＩＳＯ感度に応じた増感、減感現像処理をフィルムのコマごとに行うことは非常に困難であった。ところが、デジタルカメラでは、受光素子感度はアンプのゲインを変えることで任意のタイミングで任意の値に変更できるようになった。そのため撮影中に意識的に変更できる露出制御要素が受光素子感度を加えて３個になり、感度優先ＳＶや、シャッター及び絞り優先ＴＡＶなどの制御方法が提供されるようになった。
【０００３】
なお、感度優先ＳＶとは、任意に設定したＩＳＯ感度に合わせシャッター速度及び絞り値が適正露出になるように自動設定される露出モードであり、シャッター及び絞り優先ＴＡＶとは、任意に設定したシャッター速度及び絞り値で適正露出となるようにＩＳＯ感度が自動設定される露出モードである。
【特許文献１】特開２００６−３０１１５１号公報
【発明の開示】
【発明が解決しようとする課題】
【０００４】
従来のフィルムカメラでは、制御可能な露出制御要素がシャッター速度ＴＶ及び絞り値ＡＶの２個だったのでその組合せにより選択可能な露出モード数が少なく、１個の回転ダイヤルで露出モードの選択が可能であった。
【０００５】
しかしながら、デジタルカメラでは露出制御要素が１個増えて３個になったので、選択可能な露出モードが増加してしまい、従来のように１個の回転ダイヤルで露出モードを選択できるようにすると、回転ステップが小さくて操作が難しくなり、露出モード表示が小さ過ぎる、という問題が発生する。一方、操作を容易に、表示を大きくしようとすると回転ダイヤルの直径が大きくなってしまうという問題があった。また、ディスプレイに露出モードを表示して選択する方法では、望む露出モードを表示、選択するまでのスイッチ操作回数が増えてしまい、操作性が悪化してしまう、という問題があった。
【０００６】
かかる従来のデジタルカメラの問題に鑑みて本発明は、絞り、露出時間及びＩＳＯ感度の露出制御値を自在に操り、自動露出の設定を迅速に行うことができるデジタルカメラを提供することを目的とする。
【課題を解決するための手段】
【０００７】
かかる従来の課題を解決する本発明は、露出時間、絞り値及びＩＳＯ感度をそれぞれ、手動設定及び自動設定のいずれかで動作させる制御手段を備えたデジタルカメラであって、前記露出時間、絞り値及びＩＳＯ感度を独立して手動設定と自動設定のいずれかに切り換える切換手段を備えたことを特徴とする。
【０００８】
より実際的には、上記切換え手段として、上記絞りの設定を手動設定と自動設定との間で切り換える絞り切換えスイッチと、露出時間の設定を手動設定と自動設定との間で切り換える露出時間切換えスイッチと、ＩＳＯ感度の設定を手動設定と自動設定との間で切り換えるＩＳＯ感度切換えスイッチとが独立して設けられる。
【０００９】
さらに本発明のデジタルカメラにあっては、上記切換えスイッチに優先する優先モード設定スイッチを備えていて、上記制御手段は、上記切換えスイッチによって切換えられた手動／自動設定に優先して上記優先モード設定スイッチの設定を適用する。切換えスイッチによって設定するモードよりも優先する優先モードは切換えスイッチを切り換えなくても優先モード設定スイッチによって設定できるので、操作が容易になる。
【００１０】
上記優先モードとしてストロボ同調モードが備えられていて、上記制御手段は、上記優先モード設定スイッチにより上記ストロボ同調モードが設定されているときは、露出時間をストロボ同調速度に固定またはストロボ同調速度以下に設定する。ストロボを発光させるときは、優先モード設定スイッチの操作だけで露出時間がストロボに同調するので操作が容易である。
【００１１】
上記優先モードとしてバルブモードが備えられていて、上記制御手段は、上記優先モード設定スイッチにより上記バルブモードが設定されているときは、シャッターをバルブとし、絞り値及びＩＳＯ感度を手動設定とする。優先モード設定スイッチの操作だけでバルブモードにできるので、操作が容易である。
【００１２】
上記絞り切換えスイッチ、露出時間切換えスイッチ及びＩＳＯ感度切換えスイッチはそれぞれ独立した押しボタンスイッチであって、照明手段または表示手段によって手動設定／自動設定を表示する。
優先モードスイッチによりバルブモードが設定されているときは、上記照明手段を消灯することが好ましい。
【００１３】
上記絞り切換えスイッチ、露出時間切換えスイッチ及びＩＳＯ感度切換えスイッチはそれぞれ独立したスライドスイッチでもよい。
【発明の効果】
【００１４】
以上の通り本発明によれば、絞り値、露出時間及びＩＳＯ感度の手動設定、自動設定を独立した切換えスイッチで設定できるので、切換え操作が容易になり、撮影途中でも被写体状況に応じて簡単に切り換えることが可能になった。
【発明を実施するための最良の形態】
【００１５】
本発明の最良の実施形態について、添付の図面を参照して説明する。図１は、本発明を適用したデジタル一眼レフカメラの主要構成を示すブロック図である。このデジタル一眼レフカメラ１０は、交換レンズ１１とカメラボディ２１とを備え、交換レンズ１１がカメラボディ２１に着脱自在に装着されている。
【００１６】
交換レンズ１１は、撮影光学系として焦点調節レンズ群を含む撮影レンズ群１７及び絞り１３を含み、交換レンズ１１の機能を制御するレンズＣＰＵ１５が搭載されている。交換レンズ１１がカメラボディ２１に装着された状態で、レンズＣＰＵ１５はカメラボディのＣＰＵとの間で通信し、交換レンズ１１に関する情報を授受する。
【００１７】
カメラボディ２１は、デジタル画像信号を処理するメインＣＰＵ（ＤＳＰ）３７と、ＡＦなどカメラとしての機能全般を制御するとともに、レンズＣＰＵ１５と通信するサブＣＰＵ４７を備えている。
【００１８】
撮影レンズ群１７及び絞り１３の開口を透過した被写体光束は、一部がメインミラー２３で反射してファインダー光学系（ペンタプリズム）２５に導かれ、さらに一部が測光ＩＣ２７に入射する。メインミラー２３を透過した被写体光束はサブミラー２４で反射し、ＡＦモジュール２９に入射する。測光ＩＣ２７の測光信号、ＡＦモジュール２９の測距信号はサブＣＰＵ４７に出力される。サブＣＰＵ４７は、測光演算、ＡＦ処理などを実行するプログラム等が書き込まれたＲＯＭ４７ａ、変数等が読み書きされるＲＡＭ４７ｂ、露出時間、インターバル時間などを計時するタイマ４７ｃが内蔵されている。
【００１９】
メインミラー２３は、観察時には図の観察位置にダウンしているが、撮影（レリーズ）の際に撮影位置にアップし、サブミラー２４がメインミラー２３の背面に密着して撮影光路が開放される。そうしてシャッター３１が開くと、被写体像が、撮像素子としてのＣＣＤイメージセンサ３３上に形成される。被写体像はＣＣＤイメージセンサ３３によりアナログ画素信号に変換され、ＡＦＥ（Analog Front End）３５によって増幅され、Ａ／Ｄ変換されて、デジタル画像信号としてメインＣＰＵ３７に出力される。
【００２０】
シャッター３１は、駆動回路５７を介してサブＣＰＵ４７により駆動制御される。駆動回路５７により１１の絞り１３も駆動制御される。ＣＣＤイメージセンサ３３は、ＴＧ（Timing Generator）を介してメインＣＰＵ３７により駆動制御される。なお、撮像素子は、ＣＭＯＳイメージセンサでもよい。
【００２１】
このカメラボディ２１は、上面に、撮影に必要な情報を表示するモニタ３９を備え、以上の情報に加えて、撮影した画像を表示するモニタ４１を背面に備えている。モニタ３９、４１の表示はメインＣＰＵ３７により制御されるが、メインＣＰＵ３７は、撮影状態では撮影に必要な情報をモニタ３９、４１に表示し、再生状態ではメモリーカード４３に記録した画像ファイルを読み出してモニタ４１に表示する。
【００２２】
ＡＦモジュール２９は、いわゆるＴＴＬ位相差方式のセンサである。ＡＦモジュール２９から出力された一対の画像信号は焦点検出信号としてサブＣＰＵ４７に入力され、サブＣＰＵ４７は一対の画像信号の位相差（間隔）からデフォーカス量を求め、さらに合焦させるために撮影レンズ群１７の焦点調節レンズ群を移動する方向及び移動量（レンズ駆動量）を演算する。そうしてサブＣＰＵ４７は、レンズ駆動量に基づいて、ＡＦモータ（図示せず）を駆動し、焦点調節レンズ群を移動させる。
【００２３】
サブＣＰＵ４７には、スイッチ類として、メインスイッチＳＷＭ、第１のスイッチとしての測光スイッチＳＷＳ及び第２のスイッチとしてのレリーズスイッチＳＷＲが接続されている。メインスイッチＳＷＭは電源をオン／オフするスイッチであって、メインスイッチＳＷＭがＯＮ操作されると、サブＣＰＵ４７は図示しないバッテリから電力を他の部材に供給し、メインスイッチＳＷＭがＯＦＦ操作されると他の部材への電力を遮断し、定期的にメインスイッチＳＷＭのチェックを繰り返すスリープ状態に移行する。測光スイッチＳＷＳ及びレリーズスイッチＳＷＲは公知の通りレリーズボタンに連動するスイッチであって、レリーズボタンの半押しで測光スイッチＳＷＳがＯＮし、全押しで測光スイッチＳＷＳがオンを維持した状態でレリーズスイッチＳＷＲがオンする。
【００２４】
さらにこのサブＣＰＵ４７には、絞り値、露出時間（シャッター速度）及びＩＳＯ感度を自動設定と手動設定との間で独立して切り換える切換手段としての、絞り切換えスイッチ、露出時間切換えスイッチ、及びＩＳＯ感度切換えスイッチを含むモード設定スイッチ群６１と、絞り値、露出時間及びＩＳＯ感度をマニュアル設定するパラメータ設定スイッチ群６３と、各種の機能を表示、変更する十字キースイッチ群６５が接続されている。サブＣＰＵ４７は、スイッチ群６１のオン／オフ状態に応じて露出モードを設定し、設定スイッチ群６３のオン／オフ状態に応じて絞り値、露出時間を設定する。
【００２５】
図２には、カメラボディ２１のカメラボディ外装１００の上面を示した。カメラボディ外装１００の上面には、中央より左寄りにアクセサリーシュー１１１が設けられ、中央より右側に、撮影モードなどを表示するモニタ３９が設けられている。モニタ３９よりも前側膨出部にレリーズボタン１１３が設けられ、レリーズボタン１１３と同心状に電源スイッチレバー１１５が設けられている。レリーズボタン１１３の半押しで測光スイッチＳＷＳがオンし、全押しでレリーズスイッチＳＷＲがオンする。電源スイッチレバー１１５は、その回転位置に応じてメインスイッチＳＷＭがオン／オフする。
【００２６】
電源スイッチレバー１１５よりもさらに前側（被写体側）に第１電子ダイヤル１１７が設けられ、モニタ３９よりも後側に第２電子ダイヤル１１９が設けられている。第１、第２電子ダイヤル１１７、１１９は、絞り値及び露出時間をマニュアル設定するパラメータ設定スイッチ群６３のスイッチと連動していて、第１、第２電子ダイヤル１１７、１１９を回転操作することで、絞り値、露出時間を手動で変更することができる。
【００２７】
カメラボディ外装１００の背面には、図示しないがモニタ４１が設けられていて、さらにその横に、十字キースイッチ群６５の操作部として十字キースイッチ１２７が設けられている。この実施例では、十字キースイッチ１２７の操作でＩＳＯ感度手動設定モードを選択し、第２電子ダイヤル１１９の操作によりＩＳＯ感度をマニュアル設定できる構成である。
【００２８】
アクセサリーシュー１１１よりも左側には、モード設定ボタン１２１が設けられている。モード設定ボタン１２１には、円筒本体の円形表面に分割形成された３個の分割領域に、Ｔｖ切換えスイッチ１２３ａ、Ａｖ切換えスイッチ１２３ｂ、Ｓｖ切換えスイッチ１２３ｃが設けられている。これらの切換えスイッチ１２３ｂ、１２３ａ、１２３ｃは、モード設定スイッチ群６１に含まれる絞り切換えスイッチ、露出時間切換えスイッチ、ＩＳＯ感度切換えスイッチとして機能し、絞り、露出時間、ＩＳＯ感度を手動設定と自動設定のいずれかに切換える機能を有する。
【００２９】
切換えスイッチ１２３ａ、１２３ｂ、１２３ｃとしては、発光素子を内蔵し、オンしたときはその発光素子が点灯する照光式スイッチが好ましい。この場合は、自動設定のときに発光素子が点灯し、手動設定のときは消灯する。
【００３０】
モード設定ボタン１２１の表面には、Ｔｖ切換えスイッチ１２３ａとＡｖ切換えスイッチ１２３ｂの間の領域に窓１２１ｂが形成されていて、この窓１２１ｂから、円板状の優先モード表示スイッチ１２５の表示部が露出している。優先モード表示スイッチ１２５は、表面に優先モードが刻印、印刷等によって表示されていて、カメラボディ外装１００に対して回動自在に軸支されていて、回転位置に応じて優先モードを設定するモード設定スイッチ群６１のスイッチがオン／オフする。なお、優先モード表示板１２５は、モード設定ボタン１２１の中心と同一の軸心を有する軸（図示せず）によってモード設定ボタン１２１に対して相対回転自在に軸支されている。
【００３１】
各切換えスイッチ１２３ａ、１２３ｂ、１２３ｃは、押圧操作されるごとに、オン／オフが切り換わるスイッチである。表１には、各切換えスイッチ１２３ａ、１２３ｂ、１２３ｃのオン／オフによって設定される露出モードの実施形態を示した。
【表１】
2010093476.tif 000003
【００３２】
「ＩＳＯマニュアル」
マニュアル：露出時間ＴＶ、絞り値ＡＶ及びＩＳＯ感度ＳＶの全てを使用者が任意に設定する露出モード
ＴＶ優先：露出時間ＴＶ及びＩＳＯ感度ＳＶを使用者が任意に設定し、絞り値ＡＶが適正露出となるように自動設定される露出モード
ＡＶ優先：絞り値ＡＶ及びＩＳＯ感度ＳＶを使用者が任意に設定し、露出時間ＴＶが適正露出となるように自動設定される露出モード
プログラム：ＩＳＯ感度ＳＶを使用者が任意に設定し、露出時間ＴＶ及び絞り値ＡＶが適正露出となるようにプログラムラインに従って自動設定される露出モード
ＳＶ優先：ＩＳＯ感度ＳＶを使用者が任意に設定し、露出時間ＴＶ及び絞り値ＡＶが適正露出となるように自動設定される露出モード
【００３３】
「ＩＳＯオート」
ＴＡＶ優先（シャッター＆絞り優先）：使用者が任意に露出時間及び絞り値を設定し、ＩＳＯ感度が適正露出となるように自動設定される露出モード
ＴＶ優先：露出時間を使用者が任意に設定し、絞り値及びＩＳＯ感度が適正露出となるように自動設定される露出モード
ＡＶ優先：絞り値を使用者が任意に設定し、露出時間及びＩＳＯ感度が適正露出となるように自動設定される露出モード
プログラム：露出時間、絞り値及びＩＳＯ感度の全てが適正露出となるようにプログラムラインに従って自動設定される露出モード
【００３４】
以上の通りこのデジタル一眼レフカメラによれば、３個の切換えスイッチ１２３ａ、１２３ｂ、１２３ｃをオン／オフ操作することにより、ＩＳＯマニュアル／オート、露出時間マニュアル／オート、及び絞りマニュアル／オートを独立して設定することができる。
【００３５】
図３（Ａ）、（Ｂ）、（Ｃ）には、優先モード表示板１２５の平面図を示した。この優先モード表示板１２５の回転位置によってオン／オフする複数の切換えスイッチによって、モード設定ボタン１２１に設定された露出モードをさらに細かく、詳細に設定することが可能になる。優先モードスイッチは、窓１２１ｂに合致したマークのスイッチがオンし、表示されたマークと切換えスイッチ１２３ｂ乃至１２３ｃの設定状態に応じた詳細露出モードが設定されるように形成されている。
【００３６】
図示実施形態の優先モードは、表示されたマークに対応する以下の優先モードを備えている。
表示「Ｘ」はストロボ同調速度（露出時間）優先モードであって、設定された露出モードに拘わらず、シャッター速度（最短露出時間）がストロボ同調速度に固定される。なお、設定可能な最速シャッター速度をストロボ同調速度に制限するモードとしてもよい。
表示「Ｂ」はバルブモードであって、このバブルモードではシャッターがレリーズスイッチＳＷＲに連動し、絞り及びＩＳＯ感度が手動設定になる。
表示「Ｌ」はロックポジションであって、このロックポジションが設定されたときの露出モードが固定され、その後の切換えスイッチ１２３ａ、１２３ｂ、１２３ｃの操作が受け付けられない。
表示「Ｎ」はノーマルモードであって、上記表１に従った露出モードが設定される。
表示「Ｕ1」、「Ｕ2」、「Ｕ3」は第１、第２、第３のユーザー設定モードであって、絞り、露出時間、ＩＳＯ感度についてユーザーが任意に設定し、記憶させることができる。例えば、プログラムラインの設定、絞り、露出時間、ＩＳＯ感度のリミット設定などを３種類記憶させておくことができる。別の実施形態では、予め設定された詳細露出モードを割り当てて、切換えスイッチ１２３ｂ、１２３ａ、１２３ｃの操作により変わらないようにする。
図３に図示していないが、長時間露出モード「Ｔ」や動画撮影設定などを配置することもできる。
【００３７】
図４、図５には、切換えスイッチの第２の実施形態を示した。図４は第２実施形態を適用したカメラボディ外装の平面図、図５において、（Ａ）は切換えスイッチを全て自動設定（オート設定）にした様子を、（Ｂ）は切換えスイッチを全て手動設定（マニュアル設定）にした様子を示す拡大図である。なお、図１、図２に示した実施形態と同一機能の部材には同一の符号を付して説明を省略する。
【００３８】
第２の実施形態では、カメラボディ外装１００の上面に、二位置で止まるスライド式のＡｖ、Ｔｖ、Ｓｖ切換えスイッチ１３１、１３２、１３３が、カメラの横方向にスライドするように向けられてカメラの前後方向に等間隔で配置されている。各Ａｖ、Ｔｖ、Ｓｖ切換えスイッチ１３１、１３２、１３３は、図では操作スライダー１３１ａ、１３２ａ、１３３ａが右端にスライドしているときは手動（マニュアル）設定、左端にスライドしているときは自動（オート）設定である。なお、Ａｖ、Ｔｖ、Ｓｖ切換えスイッチ１３１、１３２、１３３の近傍には、スイッチの種別を表示する絵文字または文字と、いずれの位置が手動設定／自動設定であるかを表示する絵文字又は文字が表示されている。
【００３９】
この第２の実施形態によれば、操作スライダー１３１ｂ、１３２ａ、１３３ａを左右のどちらかに移動させて絞りＡｖ、露出時間Ｔｖ、ＩＳＯ感度Ｓｖの自動／手動を設定し、さらに移動位置によりいずれに設定されているのかを認識できる。
【図面の簡単な説明】
【００４０】
【図１】本発明を適用したデジタル一眼レフカメラの主要構成を示すブロック図である。
【図２】同デジタル一眼レフカメラのカメラボディ外装の平面図である。
【図３】同デジタル一眼レフカメラに適用したスイッチのみを分解して示す拡大図であって、（Ａ）は優先モード表示板のみを示し、（Ｂ）、（Ｃ）は自動／手動切換えスイッチの平面図であって、異なる優先モード設定状態を示す平面図である。
【図４】異なる実施形態の自動／手動切換えスイッチを適用したデジタル一眼レフカメラのカメラボディ外装を示す平面図である。
【図５】同自動／手動切換えスイッチのみを示す拡大平面図であって、（Ａ）には全てが自動（オート）設定状態の、（Ｂ）は全てが手動（マニュアル）設定状態を示す平面図である。
【符号の説明】
【００４１】
１１  交換レンズ
１３  絞り
２１  カメラボディ
３７  メインＣＰＵ
３９  モニタ
４７  サブＣＰＵ
６１  モード設定スイッチ群
６３  パラメータ設定スイッチ群
６５  十字キースイッチ群
１００  カメラボディ外装
１１７  第１電子ダイヤル
１１９  第２電子ダイヤル
１２１  モード設定ボタン
１２３ａ  Ｔｖ切換えスイッチ（露出時間切換えスイッチ）
１２３ｂ  Ａｖ切換えスイッチ（絞り切換えスイッチ）
１２３ｃ  Ｓｖ切換えスイッチ（ＩＳＯ感度切換えスイッチ）
１２５  優先モード表示スイッチ
１２７  十字キースイッチ
１３１  Ａｖ切換えスイッチ
１３２  Ｔｖ切換えスイッチ
１３３  Ｓｖ切換えスイッチ
【図１】
2010093476.tif 000004
【図２】
2010093476.tif 000005
【図３】
2010093476.tif 000006
【図４】
2010093476.tif 000007
【図５】
2010093476.tif 000008